(57)【特許請求の範囲】
【請求項１】
建物の開口部や、地下室への階段口の床面（２）の幅方向に形成した収納溝（１）と、収納溝（１）の両端部の縦方向の壁面（３）に、収納溝（１）と連通して形成した一対の支持枠（４）と、両端が一対の支持枠（４）に嵌め入れられ且つ支持枠（４）に沿って昇降する収納溝（１）の蓋体（５）と、自由端部を蓋体（５）の両端部に連結し、ボビン（８）を一対の支持枠（４）の上方部に取り付けた上昇方向への力を具有する一対の定荷重バネ（７）と、上縁を蓋体（５）に、下縁を収納溝（１）に夫々連繋したシート（９）と、伸張されたシート（９）の両側縁を支持枠（４）との間に挟持するフレーム（１１）と、蓋体（５）を収納溝（１）に離脱自在に係止する係止具（１２）とからなる浸水防止装置。
【発明の詳細な説明】
【０００１】
【産業上の利用分野】
本発明は、建物の開口部などに設置され、高潮や洪水時における建物内部や地下室などへの浸水を防止する装置に関する。
【０００２】
【従来の技術】
一般に、洪水などに備えて建物の開口部や地下室などへの浸水を防止するに当たっては、主として気密性のあるパネルを支持枠に嵌め入れ、ある程度の高さを維持させていたのが通常であり、パネルと床面との接触部や支持枠への嵌め入れ部には土のうなどの防水部材を押しつけるなどの処置を必要としていた。
しかしながら、パネルを支持枠に支持させる作業や防水部材を押しつけるなどの処置に手数を要するばかりでなく、平常時のパネルの保管場所を必要とするなどの不都合があった。
【０００３】
そこで、近年、建物の開口部の床面や、地下室への階段口の床面に形成した蓋付きの収納溝に、上縁にパイプを備え、開口部や階段口の幅に応じた長さのシートを、予め折り畳んだ状態で格納しておき、必要に応じて収納溝の蓋を取り外してシートを引き上げ、パイプの両側を壁面に縦方向に設けた支持枠に固定することにより、開口部や階段口にシートを張設する装置が採用されていた。
【０００４】
【発明が解決しようとする課題】
しかしながら、上記従来例による場合、収納溝の蓋の開放や収納溝からのシートの引き上げ、或いはパイプ両側の支持部への固定作業などに手数を要するばかりでなく、開放した蓋の保管場所を必要とするという欠点がある。
【０００５】
本発明は上記した背景の下で創作されたものであり、その目的とするところは、上記した欠点のない浸水防止装置を提供することにある。
【０００８】
【課題を解決するための手段】
本発明の浸水防止装置は、建物の開口部や、地下室への階段口の床面の幅方向に形成した収納溝と、収納溝の両端部の縦方向の壁面に、収納溝と連通して形成した一対の支持枠と、両端が一対の支持枠に嵌め入れられ且つ支持枠に沿って昇降する収納溝の蓋体と、自由端部を蓋体の両端部に連結し、ボビンを一対の支持枠の上方部に取り付けた上昇方向への力を具有する一対の定荷重バネと、上縁を蓋体に、下縁を収納溝に夫々連繋したシートと、伸張されたシートの両側縁を支持枠との間に挟持するフレームと、蓋体を収納溝に離脱自在に係止する係止具とからなるのである。
【０００９】
【作用】
しかして、平常時においては、建物の開口部や、地下室への階段口の床面の幅方向に形成した収納溝は、上昇方向への一定の力を具有する定荷重バネによって常時、支持枠に沿って上昇方向への力を付与されている蓋体を収納溝に嵌め入れて閉止し、係止具により係止して床面と同一面にあるように維持するのであり、シートは収納溝へ折り畳んだ状態で収納されているのである。
【００１０】
そして、浸水のおそれある時には、蓋体の、収納溝への係止状態を解除すると、蓋体はフリーとなり、定荷重バネの力により、支持枠に沿って上昇を開始し、これに伴って蓋体と収納溝との間に架け渡されているシートが上方向に伸張されるのである。
【００１１】
この際、支持枠は、壁面に埋設して形成され、平常時は扉体で閉止されている方式であることが好ましく、また、定荷重バネの力は、蓋体とシートを上昇させるにあたり、若干の人力の手助けを必要とする程度に設定されていることが安全上好ましい。
【００１２】
蓋体の上昇と、シートの伸張が完了した時点で、シートの両側縁を支持枠に当接し、この当接部にフレームを重ね合わせて支持枠との間に挟持すると共に、螺子などの止着具によりフレームを支持枠に圧着固定するのであり、これによりシートは建物の開口部や、地下室への階段口の両端部の壁面に形成した支持枠の間に張設される。
【００１３】
この際、シートの張設は、両側縁を折曲して支持枠の奥面に圧着固定する方式と、折曲することなく伸張状態のまま支持枠の脇面に圧着固定する方式があり、後者の方式では折曲部分の長さを不要とするばかりでなく、収納に際してシートの両側縁を折り畳む手数を要しない有利さがある。
【００１４】
このシートが支持枠から離脱することを防止するために、支持枠にボルトを設け、シート、およびフレームにボルトが挿通される位置決め用の貫通孔を設けることや、各接合部などにおいて浸水のおそれがないように、水密状態となるように適当な防水処置をすること、また、収納溝への浸水を排除する排水設備を設けることは当然のことである。
【００１５】
次いで、シートの収納に当っては、まずフレームを取り外してシートの両側縁の圧着固定状態を解除し、蓋体を重みによって定荷重バネの上昇方向への力に抗して下降させながら、シートを収納溝に順次収納していくのである。
【００１６】
そして、蓋体を収納溝へ嵌め入れて閉止し、係止具により床面と同一状態に維持するのであって、支持枠は扉体によって閉止されるのである。
【００１７】
【発明の実施の形態】
図面の実施例の、１は建物の開口部や、地下室への階段口の床面２の幅方向に形成した収納溝で、収納溝１の両端部の壁面３の縦方向に、収納溝１と連通する支持枠４を形成している。
【００１８】
５は両端を支持枠４に嵌め入れ、支持枠４に沿って昇降する収納溝１の蓋体で、この蓋体５に、上昇方向への一定の力を具有する定荷重バネ７の自由端部６を連結し、支持枠４の上方部に、定荷重バネ７のボビン８を取り付けている。
【００１９】
９は上縁を蓋体５の下面に、下縁を収納溝１の底面に夫々連繋したシートで、伸張されたシート９の両側縁は支持枠４に当接され、螺子などの止着具１０で支持枠４に圧着固定されるフレーム１１により挟持される。
１２は蓋体５を収納溝１に離脱自在に係止する係止具である。
【００２０】
【発明の効果】
以上のように本発明は、建物の開口部や、地下室への階段口の両端部の壁面に形成した支持枠の間に伸張されたシートを張設して浸水を防止するのであって、その防止作業は、上昇方向への力を具有する定荷重バネを備えたことにより、シートの自由端部を連繋した蓋体は全幅にわたって平衡して上昇し、シートは蓋体の上昇に伴って自動的に張設されるもので無駄な労力を要しないのである。
【００２１】
また、蓋体は、建物の開口部や、地下室への階段口の床面の幅方向に形成した収納溝に係止具により、離脱自在に係止されるもので、通常は床面と同一面にあるように維持され、通行にはなんら支障はないのである。
【図面の簡単な説明】
【図１】  使用状態の正面図である。
【図２】  シートが上昇状態にある側面図である。
【図３】  シートを収納した状態の側面図である。
【符号の説明】
１          収納溝
２          床面
３          壁面
４          支持枠
５          蓋体
６          自由端部
７          定荷重バネ
８          ボビン
９          シート
１０        止着具
１１        フレーム
１２        係止具
【図１】
0003738435.tif 000002
【図２】
0003738435.tif 000003
【図３】
0003738435.tif 000004